(57)【要約】  【課題】  テレビジョン放送等の映像信号を受信して、デジタル多目的ディスク、ハードディスク等の記録媒体に記録するビデオレコーダ等の記録装置を用いてタイマ録画等の記録の予約を行う場合に、使用者が記録媒体の空き領域の不足を認識していないことにより、記録漏れ等の記録失敗を引き起こすことを防止する記録装置を提供する。  【解決手段】  記録装置１は、映像信号の記録の対象となる記録媒体２の空き領域の容量を検出し（Ｓ６０２）、予約設定として記録されている記録予約情報に基づく記録処理に要する容量を算出し（Ｓ６０３）、記録媒体２の空き領域の容量及び記録予約情報に基づいて、記録媒体２の空き領域の容量が所定の限界値に到達する到達時期を算出し（Ｓ６０５）、算出した到達時期を出力する（Ｓ６０７）。【選択図】        図７
2005340949.tif 000002
【特許請求の範囲】
【請求項１】
外部から受け付ける情報の記録の予約を示す記録予約情報を予約設定として記録し、予約設定として記録している記録予約情報に基づき記録媒体の空き領域に記録を予約している情報の記録処理を行う記録装置において、
記録媒体の空き領域の容量を検出する手段と、
検出した空き領域の容量及び記録予約情報に基づいて、記録媒体の空き領域の容量が所定条件に到達する到達時期を算出する時期算出手段と、
算出した到達時期を出力する手段と
を備えることを特徴とする記録装置。
【請求項２】
外部から受け付ける情報の記録の予約を示す記録予約情報を予約設定として記録し、予約設定として記録している記録予約情報に基づき記録媒体の空き領域に記録を予約している情報の記録処理を行う記録装置において、
記録媒体の空き領域の容量を検出する手段と、
記録予約情報に基づく記録処理に要する容量を算出する手段と、
検出した空き領域の容量及び算出した記録処理に要する容量を比較して、記録予約情報に基づく記録処理の可否を判定する判定手段と、
該判定手段により記録処理不可と判定した場合に、
記録媒体の空き領域の容量及び記録予約情報に基づいて、記録媒体の空き領域の容量が所定条件に到達する到達時期を算出する時期算出手段と、
算出した到達時期を出力する手段と
を備えることを特徴とする記録装置。
【請求項３】
前記時期算出手段は、記録している予約設定が変更された場合に、到達時期を算出するようにしてあることを特徴とする請求項１又は請求項２に記載の記録装置。
【請求項４】
記録予約情報を予約設定に追加する入力を受け付ける手段と、
受け付けた入力に基づいて、記録予約情報の追加として予約設定を変更する手段と
を更に備えることを特徴とする請求項３に記載の記録装置。
【請求項５】
予約設定として記録されている記録予約情報を変更する入力を受け付ける手段と、
受け付けた入力に基づいて、記録予約情報の変更として予約設定を変更する手段と
を更に備えることを特徴とする請求項３又は請求項４に記載の記録装置。
【請求項６】
予約設定として記録されている記録予約情報を削除する入力を受け付ける手段と、
受け付けた入力に基づいて、記録予約情報の削除として予約設定を変更する手段と
を更に備えることを特徴とする請求項３乃至請求項５のいずれかひとつに記載の記録装置。
【請求項７】
記録媒体の空き領域に記録処理を行わせる記録要求入力を受け付ける手段を更に備え、
前記時期算出手段は、受け付けた記録要求入力に基づく記録処理が終了した後、到達時期を算出するようにしてある
ことを特徴とする請求項１乃至請求項６のいずれかひとつに記載の記録装置。
【請求項８】
予約設定として記録されている記録予約情報の出力を要求する入力を受け付ける手段と、
予約設定として記録されている記録予約情報を抽出する手段と、
抽出した記録予約情報と共に、到達時期を出力する手段と
を更に備えることを特徴とする請求項１乃至請求項７のいずれかひとつに記載の記録装置。
【請求項９】
現時点を示す時計手段と、
起動時に、時計手段が示す時点及び到達時期の差を示す残期間を計算する手段と、
計算した残期間が、所定期間以下である場合に、到達時期を出力する手段と
を更に備えることを特徴とする請求項１乃至請求項８のいずれかひとつに記載の記録装置。
【請求項１０】
記録媒体を装填可能な媒体装填手段と、
該媒体装填手段への記録媒体の装填を検出する手段と
を備え、
前記時期算出手段は、記録媒体の装填を検出した場合に、到達時期を算出するようにしてあることを特徴とする請求項１乃至請求項９のいずれかひとつに記載の記録装置。
【請求項１１】
記録媒体に記録されている情報を削除する手段を更に備え、
前記時期算出手段は、記録媒体に記録されている情報が削除された場合に、到達時期を算出するようにしてあることを特徴とする請求項１乃至請求項１０のいずれかひとつに記載の記録装置。
【発明の詳細な説明】
【技術分野】
【０００１】
本発明は、外部から受け付ける情報の記録の予約を示す記録予約情報を予約設定として記録し、予約設定として記録している記録予約情報に基づき記録媒体の空き領域に記録を予約している情報の記録処理を行う記録装置に関し、特に磁気テープ、デジタル多目的ディスク、ハードディスク等の記録媒体にテレビジョン放送等の放送を予約設定に基づいて記録する記録装置に関する。
【背景技術】
【０００２】
テレビジョン放送等の映像信号を受信して、磁気テープ、デジタル多目的ディスク（Digital Versatile Disc：以降ＤＶＤという）、ハードディスク等の記録媒体の空き領域に記録するビデオレコーダ等の記録装置が普及している。このような記録装置では、記録開始日時、記録終了日時等の情報を録画予約として設定しておくことにより、設定した記録開始時刻に到達すると自動的に記録を開始するという機能を備えている。このような記録装置については、例えば特許文献１に開示されている。
【特許文献１】特開平６−１４２７４号公報
【発明の開示】
【発明が解決しようとする課題】
【０００３】
しかしながら一の記録媒体の空き領域には限界があるため、予約されている内容の記録に必要な容量が、記録媒体の空き領域を超えてしまい、記録漏れが生じる可能性があるという問題がある。なお最近では記録速度、画質等の記録条件を自動的に変更することで予約されている内容を記録媒体に記録させる機能を備えた記録装置も市販されているが、その様な機能を備えた記録装置であっても、最終的には、記録に必要な容量が、記録媒体の空き容量を超えてしまい、記録漏れが生じるという可能性を残している。
【０００４】
また従来の記録装置では、記録媒体の空き容量を出力する機能を備えている機種も存在するが、複数の予約が設定されている場合、特に夫々の予約の記録条件が異なる場合、予約しているどの内容まで記録されるかを把握することは容易ではない。このことは記録装置の使用者が、例えば長期間の旅行により記録媒体の交換等の操作を行えない場合、記録漏れが生じるという問題に繋がる。
【０００５】
本発明は斯かる事情に鑑みてなされたものであり、テレビジョン放送等の映像信号の記録を予約する記録予約情報及び記録媒体の空き領域の容量に基づいて、記録媒体の空き容量が所定の限界値に到達する到達時期を算出し、算出した到達時期を出力することにより、使用者は、予約しているどの内容まで記録されるかを容易に把握することが可能であり、従って記録漏れが生じる可能性を低減することが可能な記録装置の提供を目的とする。
【課題を解決するための手段】
【０００６】
本発明に係る記録装置は、外部から受け付ける情報の記録の予約を示す記録予約情報を予約設定として記録し、予約設定として記録している記録予約情報に基づき記録媒体の空き領域に記録を予約している情報の記録処理を行う記録装置において、記録媒体の空き領域の容量を検出する手段と、検出した空き領域の容量及び記録予約情報に基づいて、記録媒体の空き領域の容量が所定条件に到達する到達時期を算出する時期算出手段と、算出した到達時期を出力する手段とを備えることを特徴とする。
【０００７】
本発明に係る記録装置では、記録媒体の空き容量が所定の限界値に到達する到達時期を出力することにより、出力された到達時期を認識した記録装置の使用者は、記録媒体を交換すべき時期を容易に把握し、また予約しているどの内容まで記録されるかを容易に把握することが可能であり、従って記録媒体の空き領域の容量を超えた予約がなされながら記録媒体の交換等の操作が行われずに記録漏れ等の記録失敗を引き起こすことを防止することが可能である。
【０００８】
本発明に係る記録装置は、外部から受け付ける情報の記録の予約を示す記録予約情報を予約設定として記録し、予約設定として記録している記録予約情報に基づき記録媒体の空き領域に記録を予約している情報の記録処理を行う記録装置において、記録媒体の空き領域の容量を検出する手段と、記録予約情報に基づく記録処理に要する容量を算出する手段と、検出した空き領域の容量及び算出した記録処理に要する容量を比較して、記録予約情報に基づく記録処理の可否を判定する判定手段と、該判定手段により記録処理不可と判定した場合に、記録媒体の空き領域の容量及び記録予約情報に基づいて、記録媒体の空き領域の容量が所定条件に到達する到達時期を算出する時期算出手段と、算出した到達時期を出力する手段とを備えることを特徴とする。
【０００９】
本発明に係る記録装置では、記録媒体の空き容量が所定の限界値に到達する到達時期を出力することにより、出力された到達時期を認識した使用者は、記録媒体を交換すべき時期を容易に把握し、また予約しているどの内容まで記録されるかを容易に把握することが可能であり、従って記録媒体の空き領域の容量を超えた予約がなされながら記録媒体の交換等の操作が行われずに記録漏れ等の記録失敗を引き起こすことを防止することが可能である。
【００１０】
本発明に係る記録装置は、前記時期算出手段は、記録している予約設定が変更された場合に、到達時期を算出するようにしてあることを特徴とする。
【００１１】
本発明に係る記録装置では、予約設定が変更される都度、到達時期を再計算することにより、使用者は状況の変化に応じて出力される到達時期を認識することができるので、記録媒体を交換すべき時期及び記録可能な内容を逐次把握することが可能であり、従って記録漏れ等の記録失敗を引き起こすことを防止することが可能である。
【００１２】
本発明に係る記録装置は、記録予約情報を予約設定に追加する入力を受け付ける手段と、受け付けた入力に基づいて、記録予約情報の追加として予約設定を変更する手段とを更に備えることを特徴とする。
【００１３】
本発明に係る記録装置では、新たに記録予約情報を追加する入力がなされ、予約設定の内容が変更された場合に、到達時期を再計算することにより、使用者は状況の変化に応じて出力される到達時期を認識することができるので、記録媒体を交換すべき時期及び記録可能な内容を逐次把握することが可能であり、従って記録漏れ等の記録失敗を引き起こすことを防止することが可能である。
【００１４】
本発明に係る記録装置は、予約設定として記録されている記録予約情報を変更する入力を受け付ける手段と、受け付けた入力に基づいて、記録予約情報の変更として予約設定を変更する手段とを更に備えることを特徴とする。
【００１５】
本発明に係る記録装置では、記録予約情報の変更、例えば記録終了日時を変更する入力を受け付けた場合に、到達時期を再計算することにより、使用者は状況の変化に応じて出力される到達時期を認識することができるので、記録媒体を交換すべき時期及び記録可能な内容を逐次把握することが可能であり、従って記録漏れ等の記録失敗を引き起こすことを防止することが可能である。
【００１６】
本発明に係る記録装置は、予約設定として記録されている記録予約情報を削除する入力を受け付ける手段と、受け付けた入力に基づいて、記録予約情報の削除として予約設定を変更する手段とを更に備えることを特徴とする。
【００１７】
本発明に係る記録装置では、既に予約設定されている記録予約情報を削除する入力を受け付けた場合に、到達時期を再計算することにより、使用者は状況の変化に応じて出力される到達時期を認識することができるので、記録媒体を交換すべき時期及び記録可能な内容を逐次把握することが可能であり、従って記録漏れ等の記録失敗を引き起こすことを防止することが可能である。
【００１８】
本発明に係る記録装置は、記録媒体の空き領域に記録処理を行わせる記録要求入力を受け付ける手段を更に備え、前記時期算出手段は、受け付けた記録要求入力に基づく記録処理が終了した後、到達時期を算出するようにしてあることを特徴とする。
【００１９】
本発明に係る記録装置では、現時点で放送又は入力されている映像信号を記録する通常録画等の記録処理を要求する操作を受け付けた場合に、当該操作により記録処理が終了した後、到達時期を再計算することにより、使用者は状況の変化に応じて出力される到達時期を認識することができるので、記録媒体を交換すべき時期及び記録可能な内容を逐次把握することが可能であり、従って記録漏れ等の記録失敗を引き起こすことを防止することが可能である。
【００２０】
本発明に係る記録装置は、予約設定として記録されている記録予約情報の出力を要求する入力を受け付ける手段と、予約設定として記録されている記録予約情報を抽出する手段と、抽出した記録予約情報と共に、到達時期を出力する手段とを更に備えることを特徴とする。
【００２１】
本発明に係る記録装置では、予約設定の確認、更なる予約設定等の操作を行う画面上に、到達時期を出力することにより、記録媒体の空き容量を考慮した適切な予約を支援することが可能である。
【００２２】
本発明に係る記録装置は、現時点を示す時計手段と、起動時に、時計手段が示す時点及び到達時期の差を示す残期間を計算する手段と、計算した残期間が、所定期間以下である場合に、到達時期を出力する手段とを更に備えることを特徴とする。
【００２３】
本発明に係る記録装置では、到達時期が、現時点から３日後等の所定期間以下となった場合に、到達時期を出力することにより、記録媒体を交換すべき時期及び記録可能な内容を再認識することが可能であり、従って記録漏れ等の記録失敗を引き起こすことを防止することが可能である。
【００２４】
本発明に係る記録装置は、記録媒体を装填可能な媒体装填手段と、該媒体装填手段への記録媒体の装填を検出する手段とを備え、前記時期算出手段は、記録媒体の装填を検出した場合に、到達時期を算出するようにしてあることを特徴とする。
【００２５】
本発明に係る記録装置では、新たな記録媒体が装填された場合に、到達時期を再計算することにより、使用者は状況の変化に応じて出力される到達時期を認識することができるので、記録媒体を交換すべき時期及び記録可能な内容を逐次把握することが可能であり、従って記録漏れ等の記録失敗を引き起こすことを防止することが可能である。
【００２６】
本発明に係る記録装置は、記録媒体に記録されている情報を削除する手段を更に備え、前記時期算出手段は、記録媒体に記録されている情報が削除された場合に、到達時期を算出するようにしてあることを特徴とする。
【００２７】
本発明に係る記録装置では、記録媒体に記録されている放送番組等の情報が削除された場合に、到達時期を再計算することにより、使用者は状況の変化に応じて出力される到達時期を認識することができるので、記録媒体を交換すべき時期及び記録可能な内容を逐次把握することが可能であり、従って記録漏れ等の記録失敗を引き起こすことを防止することが可能である。
【発明の効果】
【００２８】
本発明の記録装置は、テレビジョン放送等の映像信号を外部から受け付けて、磁気テープ、ＤＶＤ、ハードディスク等の記録媒体の空き領域に記録するビデオレコーダ等の装置であり、記録すべき映像信号、例えば放送番組の記録開始日時及び記録終了日時を含む記録予約情報を、録画予約等の予約設定として記録し、記録媒体の空き領域の容量と、記録予約情報に基づく記録処理に要する容量とから、記録媒体の空き容量が所定の条件、例えば全記録容量の９９％に到達する到達時期を算出し、算出した到達時期を、備えている表示部、接続されたモニタ等の出力手段から出力する。
【００２９】
この構成により、出力された到達時期を認識した記録装置の使用者は、記録媒体の交換、予約の変更、記録されている情報の削除による記録媒体の空き領域の拡張等の操作を行うべき時期を容易に把握することが可能であり、また予約している番組がどこまで記録されるかを容易に把握することが可能である等、優れた効果を奏する。従って記録媒体の空き領域の容量を超えた予約がなされながら記録媒体の交換等の操作が行われずに記録漏れ等の記録失敗を引き起こすことを防止することが可能である等、優れた効果を奏する。
【００３０】
また本発明は、放送番組の新たな予約内容を示す記録予約情報の入力、既に予約設定されている記録予約情報の変更、例えば記録終了時刻を変更する入力、既に予約設定されている記録予約情報を削除する入力等の入力を受け付けて予約設定の内容が変更された場合、現時点で放送或いは入力されている情報を記録する通常録画等の記録処理が終了した場合、新たに記録媒体が装填された場合、又は記録媒体に記録されている放送番組等の情報が削除された場合に、到達時期の再計算を実行する。
【００３１】
この構成により、状況の変化に応じて出力される到達時期を認識することができるので、記録媒体の交換等の操作を行うべき時期の変化を容易に把握することが可能であり、従って記録失敗を防止することが可能である等、優れた効果を奏する。
【００３２】
さらに本発明は、到達時期が３日後等の所定期間以下となった場合に、到達時期を出力することにより、記録媒体の交換等の操作を行うべき時期を再認識することが可能であり、従って記録失敗を防止することが可能である等、優れた効果を奏する。
【発明を実施するための最良の形態】
【００３３】
以下、本発明をその実施の形態を示す図面に基づいて詳述する。
【００３４】
図１は本発明の記録装置の構成を示すブロック図である。図１中１は、ビデオレコーダ等の本発明の記録装置であり、記録装置１は、装置全体を制御するＣＰＵ(Central Processing Unit) 等の制御手段１０と、制御手段１０にて実行されるコンピュータプログラム及びデータ等の情報を記録するＲＯＭ(Read Only Memory)等の第１記録手段１１と、第１記録手段１１に記録されたコンピュータプログラムの実行時に発生するデータを一時的に記録するＳＲＡＭ(Static Random Access Memory) 、フラッシュメモリ等の第２記録手段１２とを備えている。なお第２記録手段１２には、テレビジョン放送として放送される放送番組等の映像信号の記録の予約を示す一又は複数の記録予約情報が予約設定として記録される。
【００３５】
さらに記録装置１は、テレビジョン放送等の映像信号を受け付けるチューナ等の信号受信手段１３と、映像信号を出力する衛星放送受信用チューナ、ＤＶＤ再生装置等の映像出力装置と接続し、映像出力装置から出力される映像信号の入力を受け付ける信号入力手段１４とを備え、信号受信手段１３又は信号入力手段１４を介して外部から受け付けた映像信号等の情報に対し、必要に応じて圧縮等の加工を行った上で、磁気ヘッド、アーム、光学ヘッド等のアクセス部材、及びディスクトレイ、スロット等の装填部材を備える補助記録手段１５により、磁気テープ、ＤＶＤ、ハードディスク等の記録媒体２に記録する。なお補助記録手段１５は複数であっても良く、更に記録媒体２は、磁気テープ及びＤＶＤの様に補助記録手段１５に装填して用いられるものであっても、またハードディスクの様に補助記録手段１５と一体をなしていても良い。なお補助記録手段１５が、ＤＶＤ等の記録媒体２を装填することが可能な装填部材を備える媒体装填手段である場合、補助記録手段１５は、記録媒体２の装填を検出する装填検出手段１５ａをも備える。
【００３６】
そして補助記録手段１５が記録媒体２にアクセスすることにより、記録媒体２の空き領域に対して映像信号等の情報の記録処理及び記録されている情報の読み出し処理を行う。なおここでいう空き領域とは、記録可能な領域を示すものであり、必ずしも何も記録されていない領域を示すものではない。例えば記録媒体２がＤＶＤ、ハードディスク等のランダムアクセスが可能な媒体である場合、空き領域とは映像信号等の他の情報が記録されていない領域を示すが、以前に記録されていた情報の痕跡が残っていたとしても上書き可能な状態で有れば、空き領域として認識する。また例えば記録媒体２が帯状の磁気媒体に対してシーケンシャルに情報を記録するビデオテープ等の磁気テープである場合、磁気ヘッドである補助記録手段１５によるアクセスが可能な位置より後方の部分が空き領域となる。
【００３７】
さらに記録装置１は、ＬＥＤ(Light Emitting Diode)モニタ、液晶モニタ等の表示手段１６と、テレビジョンモニタ等の表示装置と接続し、映像信号を出力する信号出力手段１７とを備えており、表示手段１６及び／又は信号出力手段１７から各種情報を出力する。
【００３８】
また記録装置１は、現時点の日時を示す時計手段１８と、使用者の操作による入力を受け付ける押釦、操作用リモコン及び赤外線受信部等の操作手段１９とを備えている。
【００３９】
次の本発明の記録装置１の各種処理をフローチャートを用いて説明する。
【００４０】
図２は本発明の記録装置１の記録予約処理を示すフローチャートである。記録装置１を操作する使用者は、テレビジョン放送として放送される放送番組の記録の予約、所謂タイマ録画を所望する場合、操作手段１９を操作して、記録開始日時、記録終了日時、チャンネル、記録する番組の名称、記録形式等の情報を含み記録の予約を示す記録予約情報を入力する。記録開始日時及び記録終了日時としては、毎日、所定の曜日等の繰り返しを示す情報を入力しても良い。また複数桁の数字からなる所定の規則に則したコード、電子番組表等の機能を用いて入力するようにしてもよい。記録形式とは、圧縮率、記録速度等の情報である。
【００４１】
記録装置１は、制御手段１０の制御により、操作手段１９から記録予約情報を予約設定に追加する入力を受け付け（Ｓ１０１）、受け付けた記録予約情報の入力に基づき新たな記録予約情報の追加として第２記録手段１２に記録されている予約設定を変更する（Ｓ１０２）。
【００４２】
図３は本発明の記録装置１の予約設定変更処理を示すフローチャートである。使用者は既に予約設定している記録予約情報の変更、例えばチャンネル、記録終了日時等の情報の変更を所望する場合に、操作手段１９を操作して、予約設定として既に記録されている記録予約情報を指定し、指定した記録予約情報を変更する入力を行う。
【００４３】
記録装置１は、制御手段１０の制御により、操作手段１９から予約設定として既に記録されている記録予約情報を変更する入力を受け付け（Ｓ２０１）、受け付けた変更の入力に基づき記録予約情報の変更として第２記録手段１２に記録されている予約設定を変更する（Ｓ２０２）。
【００４４】
図４は本発明の記録装置１の記録予約情報削除処理を示すフローチャートである。使用者は既に予約設定している記録予約情報の削除を所望する場合、操作手段１９を操作して、予約設定として既に記録されている記録予約情報を指定し、指定した記録予約情報を削除する入力を行う。
【００４５】
記録装置１は、制御手段１０の制御により、操作手段１９から予約設定として既に記録されている記録予約情報を削除する入力を受け付け（Ｓ３０１）、受け付けた削除の入力に基づき記録予約情報の削除として第２記録手段１２に記録されている予約設定を変更する。（Ｓ３０２）。
【００４６】
図５は本発明の記録装置１の通常記録処理を示すフローチャートである。使用者は、現時点で放送されている映像信号又は信号入力手段１４から入力されている映像信号の記録を所望する場合、操作手段１９を操作して、記録すべき映像信号及び記録形式を選択し、選択した映像信号を選択した記録形式で記録媒体２の空き領域に記録処理を行わせる記録要求入力を行う。
【００４７】
記録装置１は、制御手段１０の制御により、操作手段１９から通常記録としての記録要求入力を受け付け（Ｓ４０１）、受け付けた記録要求入力に基づいて、信号受信手段１３又は信号入力手段１４を介して外部から受け付けた映像信号を、選択された記録形式で記録媒体２の空き領域に記録する記録処理を開始し（Ｓ４０２）、更に操作手段１０から記録処理を終了させる入力を受け付けた場合、所定の記録時間に到達した場合等の終了条件を満足した場合に記録処理を終了する（Ｓ４０３）。
【００４８】
図６は本発明の記録装置１の情報削除処理を示すフローチャートである。使用者はランダムアクセスが可能な記録媒体２に記録された映像信号等の情報の削除を所望する場合に、操作手段１９を操作して記録媒体２に記録された情報を指定し、指定した情報を削除する入力を行う。
【００４９】
記録装置１は、制御手段１０の制御により、操作手段１９から記録媒体２に記録されている情報を削除する入力を受け付け（Ｓ５０１）、受け付けた削除の入力に基づき記録媒体２に記録されている情報を削除する（Ｓ５０２）。
【００５０】
図７は本発明の記録装置１の記録限界到達時期算出処理を示すフローチャートである。本発明の記録装置１では、予め設定されている所定の条件を満足した場合、予約設定に基づく記録処理により、記録媒体２の空き容量が所定の限界値に到達する到達時期を算出して使用者に示す記録限界到達時期算出処理を開始する（Ｓ６０１）。ステップＳ６０１において、記録限界到達時期算出処理を開始する所定の条件とは、図２を用いて説明した記録予約処理、図３を用いて説明した予約設定変更処理、図４を用いて説明した記録予約情報削除処理等の処理により、記録している予約設定が変更された場合、図５を用いて説明した通常記録処理が終了した場合、図６を用いて説明した情報削除処理を行った場合、新たな記録媒体２が記録装置１の補助記録手段１５に挿入されたことを装填検出手段１５ａにより検出した場合、操作手段１９から所定の操作を受け付けた場合等の条件である。なお図２、図３及び図４を用いて説明した各種処理の様に使用者の操作により予約設定が変更された場合だけでなく、電子番組表に基づく記録装置１の自動的な処理により予約設定が変更された場合も、記録限界到達時期算出処理を開始する所定の条件を満足したと判定する。また図６を用いて説明した情報削除処理では、使用者の操作により情報が削除された場合を示しているが、記録装置１の自動的な処理により情報が削除された場合、予約設定に基づき毎週記録される放送番組が上書きされる場合等の記録装置１の自動的な処理により、記録媒体２の空き領域の容量に変化が生じたことを検出した場合も、記録限界到達時期算出処理を開始する所定の条件を満足したと判定する。
【００５１】
ステップＳ６０１により開始した記録限界到達時期算出処理として、記録装置１は、制御手段１０の制御により、映像信号の記録の対象となる記録媒体２の空き領域の容量を検出し（Ｓ６０２）、予約設定として記録されている記録予約情報に基づく記録処理に要する容量を算出し（Ｓ６０３）、検出した空き領域の容量及び算出した記録処理に要する容量を比較して、全ての記録予約情報に基づく記録処理の可否を判定する（Ｓ６０４）。ステップＳ６０３にて算出する記録処理に要する容量は、記録予約情報に示されている記録開始日時及び記録終了日時から求まる記録時間並びに記録形式から算出される。なお予約設定として記録されている記録予約情報として、毎週日曜日２０時から２１時までという様な繰り返しの記録を示す記録予約情報が含まれている場合、記録処理に要する容量は無限大として算出される。
【００５２】
ステップＳ６０４において、記録処理が不可能であると判定した場合、即ち全ての記録予約情報に基づく記録処理に必要な容量が、記録媒体２の空き領域の容量を超えると判定した場合（Ｓ６０４：ＮＯ）、記録装置１は、制御手段１０の制御により、記録媒体２の空き領域の容量及び記録予約情報に基づいて、記録媒体２の空き領域の容量が所定の限界値、例えば全記録容量の９９％に到達する到達時期を算出し（Ｓ６０５）、算出した到達時期を第２記録手段１２に記録し（Ｓ６０６）、更に到達時期を出力し（Ｓ６０７）、記録限界到達時期算出処理を終了する。ステップＳ６０５における空き領域の容量及び記録予約情報に基づく到達時期の算出は、記録予約情報に示されている記録開始日時及び記録終了日時から求まる記録時間並びに記録形式から算出される記録処理に要する容量と、空き容量とを比較することにより算出される。ステップＳ６０５にて算出する到達時期としては、実際に全記録容量の９９％に到達する時期ではなく、９９％に到達する時期に記録している放送番組の記録開始日時であっても良い。また出力される到達時期としては、日時まで出力する様にしても、日のみを出力する様にしても良い。更に到達時期と共に到達時期に記録している放送番組に関する記録予約情報、特に記録する番組の名称をも出力する様にしても良い。ステップＳ６０７における到達時期の出力は、表示手段１６からの表示出力及び／又は表示装置に表示させるべく信号出力手段１７からのビデオ信号としての外部出力を示す。
【００５３】
ステップＳ６０４において、記録処理が可能であると判定した場合、即ち記録予約情報に基づく記録処理を行っても記録媒体２の空き領域の容量を超えることが無いと判定した場合（Ｓ６０４：ＹＥＳ）、記録装置１は、制御手段１０の制御により、予約設定として記録されている全ての記録予約情報に基づく記録が可能であることを示す記録可能情報を表示手段１６及び／又は信号出力手段１７から出力し（Ｓ６０８）、記録限界到達時期算出処理を終了する。
【００５４】
図８は本発明の記録装置１の記録予約情報出力処理を示すフローチャートである。使用者は、記録装置１に予約設定として記録されている記録予約情報の確認を所望する場合、操作手段１９を操作して、記録予約情報の出力を要求する記録予約情報出力要求入力を行う。
【００５５】
記録装置１は、制御手段１０の制御により、操作手段１９から記録予約情報出力要求入力を受け付け（Ｓ７０１）、予約設定として第２記録手段１２に記録されている記録予約情報を抽出し（Ｓ７０２）、更に以前に算出し第２記録手段１２に記録している到達時期を抽出し（Ｓ７０３）、抽出した記録予約情報と共に、到達時期を表示手段１６及び／又は信号出力手段１７から出力する（Ｓ７０４）。なおステップＳ７０３において、以前に算出した到達時期を抽出するのではなく、図７を用いて説明した記録限界到達時期算出処理を実行し、その結果として算出された到達時期を、記録予約情報と共に出力する様にしても良い。
【００５６】
図９は本発明の記録装置１の到達時期自動出力処理を示すフローチャートである。記録装置１は、起動時に、制御手段１０の制御により、時計手段１８が示す現時点の日時を読み取り（Ｓ８０１）、第２記録手段１２に記録している到達時期を抽出し（Ｓ８０２）、時計手段１８が示す日時及び到達時期の差を示す残期間を計算する（Ｓ８０３）。なお到達時期自動出力処理の開始となる起動時とは、例えば電源スイッチが押下されて、記録装置１への電力供給を開始した時点だけでなく、待機状態から稼動状態に移行した時点をも含む。
【００５７】
そして記録装置１は、制御手段１０の制御により、計算した残期間と、３日（７２時間）前、１週間（１６８時間）前等の所定期間とを比較し（Ｓ８０４）、計算した残期間が所定期間以下である場合（Ｓ８０４：ＹＥＳ）、ステップＳ８０２において抽出した到達時期を表示手段１６及び／又は信号出力手段１７から出力する（Ｓ８０５）。なおステップＳ８０２において、以前に算出した到達時期を抽出するのではなく、図７を用いて説明した記録限界到達時期算出処理を実行し、その結果として算出された到達時期を所定期間と比較する様にしても良い。ステップＳ８０４において、残期間が所定期間より長い場合（Ｓ８０４：ＮＯ）、到達時期自動出力処理を終了する。
【００５８】
前記実施の形態では、映像信号を記録媒体に記録する記録処理を行う形態を示したが、本発明はこれに限らず、音声信号を記録媒体に記録する形態に適用する等、様々な情報の記録予約に適用することが可能である。
【図面の簡単な説明】
【００５９】
【図１】本発明の記録装置の構成を示すブロック図である。
【図２】本発明の記録装置の記録予約処理を示すフローチャートである。
【図３】本発明の記録装置の予約設定変更処理を示すフローチャートである。
【図４】本発明の記録装置の記録予約情報削除処理を示すフローチャートである。
【図５】本発明の記録装置の通常記録処理を示すフローチャートである。
【図６】本発明の記録装置の情報削除処理を示すフローチャートである。
【図７】本発明の記録装置の記録限界到達時期算出処理を示すフローチャートである。
【図８】本発明の記録装置の記録予約情報出力処理を示すフローチャートである。
【図９】本発明の記録装置の到達時期自動出力処理を示すフローチャートである。
【符号の説明】
【００６０】
１  記録装置
１０  制御手段
１１  第１記録手段
１２  第２記録手段
１３  信号受信手段
１４  信号入力手段
１５  補助記録手段
１５ａ  装填検出手段
１６  表示手段
１７  信号出力手段
１８  時計手段
１９  操作手段
２  記録媒体
【図１】
2005340949.tif 000003
【図２】
2005340949.tif 000004
【図３】
2005340949.tif 000005
【図４】
2005340949.tif 000006
【図５】
2005340949.tif 000007
【図６】
2005340949.tif 000008
【図７】
2005340949.tif 000009
【図８】
2005340949.tif 000010
【図９】
2005340949.tif 000011